(57)【特許請求の範囲】
【請求項１】
デバイス依存のカラー値で記述された入力画像データに対し、前記デバイス依存のカラー値をデバイス非依存のカラー値として解釈するための、前記入力画像データに関連づけられた入力側色変換パラメータと、前記デバイス非依存のカラー値を出力デバイスに依存したカラー値に対応づける出力側色変換パラメータとに基づいて、前記デバイス非依存のカラー値のなす色空間の部分領域（以下、ＰＣＳと記す）を仲介して、前記出力デバイスに応じた色変換処理を行う色変換処理手段を備えるカラーマネジメント・システムであって、
ユーザが、選択可能な複数の出力デバイスの中から複数の出力デバイスを選択するための出力デバイス選択手段と、
前記出力デバイス選択手段によってユーザが選択した複数の出力デバイスそれぞれの前記色空間における色再現可能範囲（以下、色域と記す）に基づいて、所定のＰＣＳ生成方法により前記ＰＣＳを自動生成するＰＣＳ生成手段と、
前記出力側色変換パラメータ及び前記ＰＣＳを保持する、ネットワークに接続されたサーバと、
前記入力画像データに関連づけられた入力側色変換パラメータを、前記入力画像データの前記色空間における色再現範囲が前記ＰＣＳの範囲に制限されるように修正する色変換パラメータ修正手段と、
ネットワークに接続されたアプリケーション・サーバとを備え、
前記サーバに保持された前記出力側色変換パラメータ及び前記ＰＣＳを複数のユーザでネットワークを介して共有し、
前記出力デバイス選択手段、前記ＰＣＳ生成手段及び前記色変換パラメータ修正手段はネットワークに接続されたユーザＰＣに対して前記アプリケーション・サーバより提供され、
前記ＰＣＳ生成手段は生成したＰＣＳを複数のユーザに通知する手段を含み、
前記ＰＣＳ生成手段により通知されたＰＣＳが前記色変換パラメータ修正手段にデフォルト設定されることを特徴とするカラーマネジメント・システム。
【請求項２】
ネットワークに接続されたアプリケーション・サーバを備え、
前記出力デバイス選択手段及び前記ＰＣＳ生成手段はネットワークに接続されたユーザＰＣに対して前記アプリケーション・サーバより提供されることを特徴とする請求項１記載のカラーマネジメント・システム。
【発明の詳細な説明】
【技術分野】
【０００１】
本発明は、様々なカラー画像出力デバイス間のカラーマネジメントのためのシステムに関する。
【背景技術】
【０００２】
カラーモニタやカラープリンタ、複写機、あるいは印刷機のような、デジタル画像信号に基づいてカラー画像を出力する出力デバイス間では、入力データに対する再現色の統一を図る目的で、カラーマネジメントと呼ばれる画像処理が施される。
【０００３】
このカラーマネジメントとしては、ＩＣＣ（International  Color  Consortium）の提唱するカラーマネジメントの枠組みと、そのデータフォーマットであるＩＣＣプロファイルが広く知られている。
【０００４】
このＩＣＣの枠組みにおける色変換のプロセスでは、ＰＣＳ（Profile  Connection  Space）と呼ばれるデバイス非依存の色空間を仲介して、入力画像データが依存している入力デバイス色空間から、出力機器の出力デバイス色空間への色変換が構築される。
【０００５】
ＩＣＣではＰＣＳとして、ＣＩＥ１９７６Ｌａｂ表色系またはＣＩＥ１９３１ＸＹＺ表色系の色空間、あるいは、それらの固定的な部分空間であるＰＲＭＧ（Perceptual  Reference  Media  Gamut）が使用される。
【０００６】
ＰＣＳ上で各デバイスが表現可能な色再現範囲は、色域（Gamut）と呼ばれる。カラーマネジメントでは、大抵の場合、入力デバイスの色域と出力デバイスの色域とが異なっているため、出力デバイスの色域からはみ出す入力デバイスの色域を出力デバイスの色域内に対応づける色域圧縮（Gamut  Mapping）が必要となる。
【０００７】
このような色域圧縮は出力デバイスの色域に依存するため、ネットワークを仲介して色域の異なる複数種類のプリンタが利用できる場合、選択したプリンタによる出力画像を想定して色を調整するユーザは、出力対象を切り換える毎に色調整結果の見直しをする必要が生じる。
【０００８】
これに関し、特許文献１では、複数の出力デバイスの共通色域に対して色域圧縮を行うことにより、これら複数の出力デバイス間での再現色の共通化を図る方法を開示している。しかし、この方法では色再現範囲が出力デバイスの共通色域に制限されてしまうため、互いに色域の異なる多種の出力デバイスが選択可能対象として存在する場合には、共通色域が入力デバイス色域に対して矮小化しすぎるという問題を生じる（特許文献１の段落［０００５］等の記載を参照）。
【０００９】
さて、ユーザは必ずしも選択可能な出力デバイスの全てを出力対象とするわけではなく、広色域のデバイスのみを出力対象としたり、これとは逆に狭色域のデバイスのみを出力対象としたりするのが一般的である。また、広色域のデバイスと狭色域のデバイスを混在させる場合であっても、色再現性を優先したいデバイスや、レイアウトだけ確認できれば良いデバイスというように、出力デバイスには色再現性の優先順位がある。実際の運用上では、出力したい個々の原稿に応じて、再現色の共通化を図りたい対象デバイスや、対象デバイスの色再現性の優先順位が存在することになる。
【００１０】
特に、広い色域のデバイスを優先したいのに、その色域よりＰＣＳが狭い場合には、彩度やコントラストの不足が問題となる。逆に、狭い色域のデバイスを優先したいのに、その色域よりＰＣＳが広い場合には、色が潰れるという問題を生じる。
【００１１】
また、前述のような色再現性の優先順位は、共通の印刷物を分業・協業によって作成するようなワークグループでは共有されなければならない。しかし、共有の目的に特化されないＰＣＳでは、それを必要以上に広くとり過ぎる傾向になるため、ワークグループのメンバ間での色再現性の優先順位の意識共有が難しくなる。
【発明の概要】
【発明が解決しようとする課題】
【００１２】
本発明の主要な目的の一つは、様々な画像出力デバイスをターゲットとする原稿編集を協業作業によって進めるような環境等において、出力ターゲットとする画像出力デバイスの組み合わせに柔軟に対応し、適切なＰＣＳを容易に設定可能にしたカラーマネジメント・システムを提供することにある。
【課題を解決するための手段】
【００１３】
上記目的を達成するため、本発明に係るカラーマネジメント・システムは、請求項１に記載の通り、
デバイス依存のカラー値で記述された入力画像データに対し、前記デバイス依存のカラー値をデバイス非依存のカラー値として解釈するための、前記入力画像データに関連づけられた入力側色変換パラメータと、前記デバイス非依存のカラー値を出力デバイスに依存したカラー値に対応づける出力側色変換パラメータとに基づいて、前記デバイス非依存のカラー値のなす色空間の部分領域（以下、ＰＣＳと記す）を仲介して、前記出力デバイスに応じた色変換処理を行う色変換処理手段を備えるカラーマネジメント・システムであって、
ユーザが、選択可能な複数の出力デバイスの中から複数の出力デバイスを選択するための出力デバイス選択手段と、
前記出力デバイス選択手段によってユーザが選択した複数の出力デバイスそれぞれの前記色空間における色再現可能範囲（以下、色域と記す）に基づいて、所定のＰＣＳ生成方法により前記ＰＣＳを自動生成するＰＣＳ生成手段と、
前記出力側色変換パラメータ及び前記ＰＣＳを保持する、ネットワークに接続されたサーバと、
前記入力画像データに関連づけられた入力側色変換パラメータを、前記入力画像データの前記色空間における色再現範囲（以下、色域と記す）が前記ＰＣＳの範囲に制限されるように修正する色変換パラメータ修正手段と、
ネットワークに接続されたアプリケーション・サーバとを備え、
前記サーバに保持された前記出力側色変換パラメータ及び前記ＰＣＳを複数のユーザでネットワークを介して共有し、
前記出力デバイス選択手段、前記ＰＣＳ生成手段及び前記色変換パラメータ修正手段はネットワークに接続されたユーザＰＣに対して前記アプリケーション・サーバより提供され、
前記ＰＣＳ生成手段は生成したＰＣＳを複数のユーザに通知する手段を含み、
前記ＰＣＳ生成手段により通知されたＰＣＳが前記色変換パラメータ修正手段にデフォルト設定されることを特徴とする。
【００１４】
なお、使用される用紙や色材（インク、トナー）等の選択により出力条件が変化する画像出力装置の場合、出力条件に対応して用意されたプロファイル毎に別々の出力デバイスがあるものとして扱われる。
【発明の効果】
【００１５】
本発明のカラーマネジメント・システムによれば、ユーザが出力ターゲットとする複数の出力デバイスを選択するだけで、それらの出力デバイスの色域に基づいた適切なＰＣＳを設定できる。
【図面の簡単な説明】
【００１６】
【図１】本発明の一実施形態に係るカラーマネジメント・システムが実現されるネットワーク環境の説明図である。
【図２】本発明の一実施形態に係るカラーマネジメント・システムの処理説明のためのブロック図である。
【図３】本発明の一実施形態に係るＰＣＳ編集ツールの機能的構成及び処理フローを説明するためのブロック図である。
【図４】本発明の一実施形態に係るプロファイル編集ツールの機能的構成及び処理フローを説明するためのブロック図である。
【図５】本発明の一実施形態に係るＰＣＳ編集ツールのユーザインタフェース画面の例を示す図である。
【図６】図５のユーザインタフェース画面において、ＰＣＳ生成戦略の”共通”が選択された場合のＣ−Ｌ断面図の例を示す図である。
【図７】図５のユーザインタフェース画面において、ＰＣＳ生成戦略の”包含”が選択された場合のＣ−Ｌ断面図の例を示す図である。
【図８】本発明の一実施形態に係るプロファイル編集ツールのユーザインタフェース画面の例を示す図である。
【図９】ＧＭＡ名称として”定点引き込み”が選択された場合の色域圧縮についての説明図である。
【発明を実施するための形態】
【００１７】
以下、本発明を実施するための形態について図面を参照し説明する。
【００１８】
本発明の一実施形態に係るカラーマネジメント・システムは、例えば、図１に模式的に示すようなネットワーク環境において、インターネット２６で相互に接続された複数のサイト１７，２１，２５，３０にまたがるサービスとして実現される。
【００１９】
コンテンツ制作サイト２１では、複数のコンテンツ制作者が、スキャナ、デジタル・スチル・カメラ（ＤＳＣ）等から取り込んだ写真画像やＣＧ・イラスト等（以下では、これらをコンテンツと総称する）をＰＣ（パーソナルコンピュータ）１８，４０，４１などで現像・編集したり、これらＰＣのモニタや当該サイト内のプリンタ４２で確認出力を行ったり、完成したコンテンツをサーバサイト３０のリソースＤＢ（データベース）２８にアップロードしたりする。また、コンテンツ制作サイト２１では、後述のプロファイル編集や、コンテンツへのプロファイルの割り付け（関連付け）を行うことができる。このようなコンテンツ制作サイト２１は、物理的に一つの執務空間に限定されるものではなく、例えばＰＣ１８が、ＰＣ４０，４１とは別オフィスに存在したり、遠隔地で使用されるモバイルＰＣであったりするような場合もあり得る。
【００２０】
出力サイト１７は、オフセット印刷機４３や、レーザプリンタ４４、インクジェット・プリンタ４５等、さまざまな出力装置で構成され、編集サイト２５からの印刷要求に従って印刷出力を行う。これらの出力装置は、同じ部屋や建物内に設置される場合もあるし、遠隔地に分散して設置される場合もある。
【００２１】
編集サイト２５では、リソースＤＢ２８に蓄積されたコンテンツを素材として原稿編集を行い、編集した原稿の印刷要求を出力サイト１７に対し発行して印刷させることができる。編集サイト２５では、出力サイト１７の各出力装置４３，４４，４５や、コンテンツ制作サイト２１のプリンタ４２やＰＣ４１のモニタなどの出力装置群から選択される出力装置を考慮したＰＣＳ（Profile  Connection  Space）の生成・編集を行い、このＰＣＳをサーバサイト３０のプロファイルＤＢ（図２）に登録するとともに、該ＰＣＳの識別情報をコンテンツ制作サイト２１に配信することができる。編集サイト２５においても、プロファイルの編集とコンテンツへの割り付け（関連付け）を行うことができる。
【００２２】
ここで、ＰＣＳとは、Ｌａｂ，ＸＹＺ等のデバイス非依存の色空間の部分空間である。また、プロファイルとは、前述したＩＣＣプロファイルのように、特定のデバイスに関連して、ＲＧＢやＣＭＹＫのようなデバイス固有の色パラメータをＰＣＳの値に変換するための色変換パラメータと、その逆にＰＣＳの値をデバイス固有の色パラメータに変換するための色変換パラメータ、および、ＰＣＳ内で、そのデバイスが出力可能な色の範囲を示す色域（Gamut）情報をパッケージ化したものを指す。
【００２３】
ＲＧＢプロファイルはＲＧＢを入力パラメータとするデバイスに関するプロファイルであり、同様にＣＭＹＫプロファイルはＣＭＹＫを入力パラメータとするプロファイルである。プリンタのように出力色が用紙に依存するデバイスの場合、色再現特性の異なる設定用紙毎にプロファイルが必要となることから、出力側の色変換パラメータであるプロファイルを用紙プロファイルと呼ぶことがある。入力側の色変換パラメータであるプロファイルは、実際の出力デバイスとは異なるデバイス特性による色再現特性を規定していることから、シミュレーションプロファイルと呼ぶことがある。
【００２４】
以下では説明を簡易にするため、ＰＣＳの表色系としてＣＩＥ１９７６Ｌａｂを用い、その色空間の部分空間をＰＣＳとして扱う。ただし、プロファイルをＩＣＣのものに限定しなければ、ＰＣＳの表色系として、Ｌａｂ、ＸＹＺの他、ＣＩＥＣＡＭ０２のＪＣｈや、ＩＰＴなどを用いることもできる。ＪＣｈやＩＰＴを用いると、計算処理は煩雑になるものの色変換に伴う色相の保存性（特に青紫周辺での色相保存性）が良好になるという利点がある。
【００２５】
図２は、本実施形態に係るカラーマネジメント・システムの処理説明図である。図２を参照し、ＣＭＹＫ画像を入力データとする画像出力装置（例えばＣＭＹＫレーザプリンタ）を出力デバイスとして選択した場合を例に、カラーマネジメント処理について、プロファイルと関連させて説明する。
【００２６】
出力サイト１７において、画像出力デバイス１１（ここでは例えばＣＭＹＫレーザプリンタ）に接続された画像処理装置のＲＩＰ（Raster  Image  Processor）２により、編集サイト２５で編集された原稿画像データ１は画像出力デバイス１１の解像度に合わせたビットマップデータに展開される。
【００２７】
原稿画像データ１に埋め込まれたＲＧＢ画像データ１９のビットマップデータは、ＲＧＢ画像データ１９に予め関連づけられたＲＧＢプロファイル２０に従って、ＲＧＢ→ＰＣＳ変換３により、設定されたＰＣＳの範囲内に形成されるＲＧＢ色域５上のＬａｂ値に変換される。また、原稿画像データ１中のＣＭＹＫデータ２４のビットマップデータは、ＣＭＹＫ画像データ２４に予め関連づけられたＣＭＹＫプロファイル２３に従って、ＣＭＹＫ→ＰＣＳ変換４により、設定されたＰＣＳ内に形成されるＣＭＹＫ色域６上のＬａｂ値に変換される。
【００２８】
ここで、ＲＧＢ→ＰＣＳ変換３では、ＲＧＢからＬａｂへの色変換と同時にＰＣＳの範囲内への色域圧縮が行われる。そして、変換後のＲＧＢ色域５はＲＧＢ画像データ１９の元の色域をＰＣＳとの共通部分に制限したものである。同様に、ＣＭＹＫ→ＰＣＳ変換４では、ＣＭＹＫからＬａｂへの色変換と同時にＰＣＳの範囲内への色域圧縮が行われ、この変換後の色域６はＣＭＹＫ画像データ２３の元の色域をＰＣＳとの共通部分に制限したものである。
【００２９】
ＲＧＢ色域５上のＬａｂ値とＣＭＹＫ色域６上のＬａｂ値はそれぞれ、ＧＭＡ（色域圧縮方法）７，８により、画像出力デバイス１１の用紙設定に合わせたＣＭＹＫ色域９の範囲に写像（色域圧縮）される。ＣＭＹＫ色域９の範囲に写像された２種類の画像のＬａｂデータは、ＰＣＳ→ＣＭＹＫ変換１０によりＣＭＹＫ面順次データへと展開・合成されて画像出力デバイス１１へ入力され、画像出力デバイス１１により出力画像１２として出力される。ＧＭＡ７，８の制御パラメータ、ＣＭＹＫ色域９の情報、ＰＣＳ→ＣＭＹＫ変換１０の色変換パラメータは、用紙プロファイルＤＢ１３から選択された用紙プロファイル１４で与えられる。なお、ＧＭＡ７とＧＭＡ８は同一のものであっても良い。
【００３０】
以上に説明したＰＣＳを仲介した一連の色変換処理を行う色変換手段１６は、図２ではＲＩＰ２の後段の独立した処理手段として示されている。しかし、色変換手段１６の処理をＲＩＰ２における処理の中に組み込んで、ＲＩＰ処理過程中のカラー値に対して実施するようにしてもよく、そのほうが一般的に処理効率は良い。
【００３１】
用紙プロファイル１４は、画像出力デバイス１１に近いサイトのＤＢ（データベース）である用紙プロファイルＤＢ１３に保持されているが、同一機種が異なるサイトで運用されている場合など、汎用性の高い用紙プロファイルがある場合には、共有ＤＢであるサーバサイト３０のプロファイルＤＢ２９との間でプロファイル情報の同期をとる処理が行われる。
【００３２】
編集サイト２５では、原稿画像データ１のＣＭＹＫデータ２４に対して、ＣＭＹＫ値に対応するデバイス非依存のカラー値（本例の場合Ｌａｂ値）を規定するために、ユーザが適切なシミュレーションプロファイル（ここではＣＭＹＫプロファイル）２３の割り付けを行う。ユーザがこの割り付けを行わない場合には、予め定められたデフォルトプロファイル（例えば、Japan-Color  2001  Coated）がシミュレーションプロファイル２３に割り付けられる。ただし、正確には、これらのシミュレーションプロファイルとして、後述するように、設定されたＰＣＳに応じて色変換パラメータが修正（編集）されたものが使用される。
【００３３】
また、編集サイト２５の特権ユーザは、前述のように色変換手段１６における色変換処理に適用されるＰＣＳの作成（生成・編集）を行うことができる。そして、そのＰＣＳを、サーバサイト３０の共有ＤＢであるプロファイルＤＢ２９にアップロードするとともに、コンテンツ制作サイト２１のコンテンツ制作者に通知することができる。
【００３４】
図３は、ＰＣＳ編集ツールの機能的構成及び処理フローを説明するためのブロック図である。図３において、５０はＰＣＳ編集ツールであり、これはサーバサイト３０のアプリケーション・サーバ２７から提供されて編集サイト２５のＰＣ２２上で動作する。編集サイト２５の特権ユーザは、このＰＣＳ編集ツール５０を利用しＰＣＳの作成（生成・編集）を行うことができる。
【００３５】
ＰＣＳ編集ツール５０において、プロファイル選択手段５１は、ユーザが、プロファイルＤＢ２９に登録されているプロファイルの中から、出力ターゲットとして使用する複数の出力デバイスのプロファイルを選択するための手段である。これにより選択されたプロファイルのリスト５２がＰＣＳ編集処理手段５３に入力される。ここで、出力デバイスの選択においては、用紙プロファイル毎に別々の出力デバイスが存在するものとして扱われる。より一般化するならば、使用される用紙や色材（インク、トナー）等の選択により出力条件が変化する画像出力装置の場合、出力条件に対応して用意されたプロファイル毎に別々の出力デバイスがあるものとして扱われる。また、プロファィル選択手段５１で、ある出力デバイスのプロファイルを選択したということは、その出力デバイスを選択したことでもある。よって、プロファイル選択手段５１は出力デバイスの選択手段でもある。
【００３６】
ＰＣＳ編集処理手段５３において、プロファイル・リスト５２から当該選択された複数の出力デバイスの色域情報を取得し、それら複数の色域に基づいて、ユーザの選択した又はデフォルト設定のＰＣＳ生成戦略（後述）に対応した所定のＰＣＳ生成方法によりＰＣＳを自動生成する。ユーザは、ＰＣＳ編集処理手段５３により、自動生成されたＰＣＳの形状編集（後述）を行うことができる。このようにして作成されたＰＣＳは、配信手段５４を通じてプロファイルＤＢ２９に登録されるとともに、そのＰＣＳの識別情報がコンテンツ制作サイト２１の各コンテンツ制作者に通知される。
【００３７】
なお、プロファイル選択手段５１でプロファイルの代わりに既登録のＰＣＳを選択することも可能である。この場合には、プロファイル・リスト５２の生成とＰＣＳ編集処理手段５３の処理はスキップされ、選択した既登録ＰＣＳの識別情報が配信手段５４からコンテンツ制作サイト２１の各制作者に通知される（該ＰＣＳの実体はプロファイルＤＢ２９にある）。
【００３８】
図４は、プロファイル編集ツールの機能的構成や、コンテンツ制作サイト２１でのプロファイルの編集、コンテンツへのプロファイルの割り付け等の処理を説明するためのブロック図である。図４において、６０はプロファイル編集ツールであり、これはサーバサイト３０のアプリケーション・サーバ２７から提供されてコンテンツ制作サイト２１のＰＣ１８上で動作する。
【００３９】
編集サイト２５から通知されたＰＣＳ識別情報は受信手段６１で受け取られる。このＰＣＳ識別情報に基づきＰＣＳ取得手段６２がプロファイルＤＢ２９から該当のＰＣＳの情報（ＰＣＳの実体）を取得する。このようにして、受信したＰＣＳ識別情報に対応したＰＣＳがプロファイル編集ツール６０にデフォルト設定される。ただし、後述のように、ユーザはファイルブラウザ（不図示）を利用し、プロファイルＤＢ２９に登録されている任意のＰＣＳを検索し設定することもできる。
【００４０】
コンテンツ制作サイト２１のユーザは、プロファイル抽出手段６３によって、編集対象のプロファイルを抽出することができる。ここでは、ＲＧＢ画像データ１９よりＲＧＢプロファイル６４が抽出されるが、ＲＧＢ画像データ１９にプロファイルが割り付けられていないときは、デフォルトとしてｓＲＧＢ特性に基づくｓＲＧＢプロファイルで代用される。なお、後述するように、ユーザはファイルブラウザ（不図示）を利用し、プロファイルＤＢ２９に登録されているプロファイルを検索し、そのプロファイルを編集対象とすることもできる。
【００４１】
ユーザは、ＧＭＡパラメータ編集手段６８によって、ＲＧＢ画像データ１９の色域を、設定されたＰＣＳの範囲内に制限する色域圧縮の編集を行うことができる（この編集の詳細については後述）。この編集の結果は、色域圧縮の制御パラメータであるＧＭＡパラメータ６９としてＧＭＡ６６に渡される。ＧＭＡパラメータ編集手段６８では、編集したＧＭＡパラメータをＧＭＡパラメータＤＢ７０へ保存したり、ＧＭＡパラメータＤＢ７０に保存されているＧＭＡパラメータを再利用したりすることができる。
【００４２】
ＧＭＡ６６では、ＧＭＡパラメータ６９に基づいて、編集対象プロファイルであるＲＧＢプロファイル６４を、設定されたＰＣＳ内の色域内にＬａｂ値をもつＲＧＢプロファイル２０に変換する処理が行われる。この変換後のＲＧＢプロファイル２０では、色域が、設定されたＰＣＳの範囲内に制限するように修正され、この修正された色域に合わせるようにＲＧＢ→ＰＣＳ変換及びＰＣＳ→ＲＧＢ変換の色変換パラメータが修正される。すなわち、ＧＭＡ６６は、ユーザによる色域圧縮の編集結果であるＧＭＡパラメータ６９に応じて、ＲＧＢ画像データの色域を、設定されたＰＣＳの範囲内に制限するように色変換パラメータを修正する手段である。
【００４３】
コンテンツ制作サイト２１のユーザは、修正（編集）されたＲＧＢプロファイル２０をユーザアプリケーション６７に設定して画像編集を行うことができる。そして、編集後のＲＧＢ画像データ１９を、それにＲＧＢプロファイル２０を関連づけて、サーバサイト３０のリソースＤＢ２８にアップロードすることができる。
【００４４】
以上、コンテンツ制作サイト２１でのＲＧＢプロファイルの修正（編集）について説明した。
【００４５】
編集サイト２５においても、プロファイル編集ツール６０を利用し、ＣＭＹＫプロファイルに対し、設定したＰＣＳに応じた同様の修正（編集）を行うことができる。すなわち、編集サイト２５のユーザは、アプリケーション・サーバ２７から提供されるプロファイル編集ツール６０をＰＣ２２上で動作させ、設定したいＰＣＳをプロファイルＤＢ２９よりダウンロードし、また、編集対象プロファイルであるＣＭＹＫプロファイルをプロファイルＤＢ２９よりダウンロードする。そして、このＣＭＹＫプロファイル２３に対し、色域を、設定したＰＣＳの範囲内に制限する修正を施し、修正したＣＭＹＫプロファイルをＣＭＹＫ画像データ２４に割り付ける処理を行う。このプロファイル割付処理は、アプリケーション・サーバ２７から提供されるドキュメント編集ツール（不図示）を使用する場合には自動設定される。
【００４６】
以上に説明したように、ＰＣＳ編集ツール５０を利用し、ユーザは、選択可能な複数の出力デバイスの中から任意の複数の出力デバイスを選択し、それら出力デバイスのプロファイルの色域情報を取得し、それら色域に基づき所定のＰＣＳ生成方法によりＰＣＳを生成し、必要に応じてＰＣＳの形状を編集する。このようにして作成されたＰＣＳをプロファイル編集ツール６０に設定する。そして、ユーザはＲＧＢプロファイル、ＣＭＹＫプロファイルの色変換パラメータを、色域が、設定したＰＣＳの範囲内に制限されるように修正し、修正後のプロファイルを原稿画像データ１のＲＧＢ画像データとＣＭＹＫ画像データにそれぞれ関連づける。かくして、図２の色変換手段１６において、ユーザが選択した複数の出力デバイスの色域に基づいて作成されたＰＣＳを適用した色変換処理を行わせることができる。
【００４７】
次に、ユーザインタフェースと関連させて、ＰＣＳ編集ツール及びプロファイル編集ツールについてより詳細に説明する。
【００４８】
図５にＰＣＳ編集ツール５０のユーザインタフェース画面の例を示す。ユーザは、まずＰＣＳ編集ツール５０のユーザインタフェース画面上のＰＣＳ名称表示部７６に、これから作成するＰＣＳの名称を入力する。未入力の場合のデフォルト名称は“名称未設定”になっている。
【００４９】
なお、図３に関連して、プロファイル選択手段５１でプロファイルＤＢ２９に既登録のＰＣＳを選択してコンテンツ制作サイト２１のユーザへ通知することも可能であると説明した。ここで説明する態様においては、ユーザが選択ボタン７７を押下することでファイルブラウザ（図示せず）を起動し、該ファイルブラウザを用いてプロファイルＤＢ２９内の既登録のＰＣＳを選択し、そのＰＣＳの名称をＰＣＳ名称表示部７６に設定させることができる。つまり、ここでは図３のプロファイル選択手段５１により既登録ＰＣＳを選択する機能を、ファイルブラウザを利用して実現する。ただし、これはあくまで一例にすぎない。そして、ユーザインタフェース画面の下部右端の配信ボタン１１４を押下することにより、設定した既登録ＰＣＳを配信することができる。
【００５０】
さて、複数の出力デバイスの色域に基づいて新たなＰＣＳを生成する場合、その複数の出力デバイスのプロファイルを選択する（ここで、前述したように各用紙プロファイルは一つの出力デバイスとして扱われる）。このプロファイル選択に関連して、ユーザインタフェース画面上にプロファイル・リスト表示部７８と、追加ボタン８２、削除ボタン８３が設けられている。
【００５１】
プロファイル・リスト表示部７８に表示される各エントリは、チェックボックス７９、プロファイル名称８０、重み係数８１で構成される。チェックボックス７９は、エントリの有効／無効を指定するスイッチである。チェックボックス７９がチェックされているエントリのみが、以下の編集操作対象として有効となり、チェックの外されたエントリは、プロファイル・リスト表示部７８に表示されるだけで、以下の処理対象としては無効化される。すなわち、プロファイル・リスト表示部７８に表示されたプロファイル・リストにおいて、チェックボックス７９がチェックされているプロファイルのみが有効である。この有効なプロファイルが、図３のプロファイル選択手段５１で選択されたプロファイルに相当し、図３のプロファイル・リスト５２を構成するプロファイルに相当する。また、重み係数８１は、０以上の整数値を指定可能であり、後述する加重平均処理の重み係数として使用される。
【００５２】
初期状態では、プロファイル・リスト表示部７８は空欄である。ユーザは、追加ボタン８２を押下してファイルブラウザ（図示せず）を起動し、このファイルブラウザを利用してプロファイルＤＢ２９内の出力デバイスのプロファイルを選択して、そのエントリをプロファイル・リストに追加することができる。既存エントリを削除したい場合、ユーザは削除対象とするプロファイル名称を押下して選択状態とした上で削除ボタン８３を押下すればよい。
【００５３】
このように、ここで説明する態様においては、プロファイル・リスト表示部８０とそのチェックボックス７９、追加ボタン８２、削除ボタン８３、追加ボタン８２を押すと起動するファイルブラウザ等によって、ＰＣＳを生成・編集するための出力デバイスのプロファイルを選択するプロファイル選択手段５１の機能が実現される。ただし、これはあくまで一例である。
【００５４】
図５の例では、プロファイル・リスト表示部７８にプロファイル名称が表示されているプロファイルのうち、チェックボックスがチェックされている”ｍｙＬＣＤ”、”ＰＰＣｏｌｏｒＬａｓｅｒＭａｔｔｅ”という名称の２つのプロファイルが、ＰＣＳの生成・編集のためのプロファイルとして選択されている。後の説明では、”ｍｙＬＣＤ”に対応する色域を第１の色域、”ＰＰＣｏｌｏｒＬａｓｅｒＭａｔｔｅ”に対応する色域を第２の色域と呼ぶ。
【００５５】
なお、ここではＰＣＳの生成・編集に２つの出力デバイスの色域を用いるものとして説明するが、３つ以上の出力デバイスの色域を用いることも可能である。また、第１の色域をＲＧＢモニタ系の色域、第２の色域をプリンタ系の色域としたのは、単に差の大きな色域を例にした方が説明が分かりやすいという理由からであって、ＰＣＳ作成に利用する出力デバイスの組み合わせは基本的に任意である。
【００５６】
図５の説明に戻る。ユーザインタフェース画面において、ＰＣＳ生成戦略表示部８５には、ユーザが選択ボタン８６を押下することで表示される選択肢８７の中からユーザによって選択されたＰＣＳ生成戦略が表示される。ＰＣＳ生成戦略は、複数の色域に基づいてＰＣＳを自動生成する所定のＰＣＳ生成方法に付けられた名称である。本実施形態では、ＰＣＳ生成方法として、”平均”、”共通”、”包含”の３つの方法が予め用意され、ユーザが任意に選択可能である。ここでは、”平均”がデフォルトのＰＣＳ生成戦略とされている。
【００５７】
色相グリッド数表示部８８には、ユーザが選択ボタン８９を押下することで表示される選択肢（図示せず）の中からユーザにより選択された値が表示される。色相グリッド数の選択肢には、１２，１８，２４，３６があり、そのデフォルト値は２４である。
【００５８】
グリッド間隔表示部９１には、ユーザが選択ボタン９２を押下することで表示される選択肢（図示せず）の中からユーザにより選択された値が表示される。色相グリッド間隔の選択肢には、３０°，２０°，１５°，１０°があり、そのデフォルト値は１５°とされている。なお、色相グリッド数とグリッド間隔値は連動しており、一方の値を変更すると他方の値も対応した値に自動的に修正される。
【００５９】
彩度グリッド数表示部９３には、ユーザが選択ボタン９４を押下することで表示される選択肢（図示せず）の中からユーザにより選択された値が表示される。彩度グリッド数の選択肢には、３，４，５，６があり、そのデフォルト値は４とされている。
【００６０】
色相グリッド数および彩度グリッド数は、ＰＣＳ編集ツール５０のユーザインタフェース画面に色相グリッド編集に関連して表示されるグリッドの初期値となる。
【００６１】
Ｌａｂ空間の部分空間であるＰＣＳは、プロファイル・リストで有効指定された出力デバイスのプロファイルの色域に基づいて、ＰＣＳ生成戦略表示部８５に表示されたＰＣＳ生成戦略に対応した所定のＰＣＳ生成方法により自動生成される。ユーザは、自動生成されたＰＣＳの形状を編集することもできる。このようなＰＣＳの自動生成のための処理手段とＰＣＳの形状編集のための処理手段は、前述のようにＰＣＳ編集処理手段５３に含まれている。
【００６２】
ＰＣＳ生成戦略に従うＰＣＳの自動生成と、生成されたＰＣＳの形状編集について、ユーザインタフェースと関連させてさらに説明する。
【００６３】
ＰＣＳ編集ツール５０のユーザインタフェース画面において、左下部分にあるａ−ｂ平面図１１８には、Ｌａｂ空間のａ−ｂ平面上に投影した第１の色域１０２と第２の色域１０３が表示される。円環９５は、色相方向の分割位置を定める制御点９７を有している。この制御点９７は、前述した色相グリッド数表示部８８、あるいはグリッド間隔表示部９１で指定した値に対応するものが表示される。円環９５上の黒点で示した制御点９７は、マウスポインタで円環９５に沿って移動させることが可能であり、移動した角度はインジケータ１１５に表示される。また、円環９５上の制御点以外の位置でマウスを右クリックすることで、追加インジケータ９８が表示され、制御点が追加される。なお、追加インジケータ９８からマウスカーソルを外すと追加操作はキャンセルされる。逆に、円環９５上の制御点上でマウスを右クリックすると、削除インジケータ９９が表示され、その制御点が削除される。削除インジケータ９９からマウスカーソルを外すと、削除操作はキャンセルされる。
【００６４】
初期化ボタン１１６を押下することにより、これら円環９５上のグリッドに施した編集をキャンセルし、グリッド状態を色相グリッド数表示部８８（あるいはグリッド間隔表示部９１）で指定されたグリッド状態に戻すことができる。
【００６５】
また、円環上に二重丸で示した編集色相指示マーカ１０１は、ユーザインタフェース画面の右下部分に示したＬａｂ空間のＣ−Ｌ断面１１９に表示される色相を指示するものである。Ｃ−Ｌ断面図１１９の色相角表示部１０４には、この編集色相指示マーカ１０１に連動して色相角が表示される。そして、この色相角での第１の色域１０５と第２の色域１０７の断面図がＣ−Ｌ断面図１１９上に表示される。
【００６６】
また、それぞれの色域の最大彩度点１０８，１１０を基準として、彩度を彩度グリッド表示部９３で指定されたグリッド数等分した色域境界位置に、それぞれの基準制御点が配置される。図５のＣ−Ｌ断面図１１９では、第１の色域１０５の境界上の制御点は白丸印（○）で示されており、また、第２の色域１０７上の制御点は白三角印（△）で示されている。
【００６７】
ＰＣＳ生成戦略表示部８５に表示されているＰＣＳ生成戦略が”平均”の場合、第１と第２の色域の対応する制御点（図では線分で連結して表示）の重心（即ち加重平均）を初期値として、この色相でのＰＣＳ断面１０６を規定する制御点（●印）が表示される。つまり、ＰＣＳ生成戦略が”平均”の場合、２つの色域に基づいて自動生成されるＰＣＳの境界を特徴付ける制御点は、第１の色域と第２の色域の対応した制御点を”加重平均”したものである。そして、生成されたＰＣＳの当該色相での境界上の制御点が表示される。
【００６８】
上記加重平均の重み係数として、プロファイル・リスト表示部７８で指定された重み係数８１が使用される。重み係数８１は、加重平均計算に先立って、プロファイル・リストの有効エントリの重み係数の総和が１となるよう予め正規化して使用される。
【００６９】
ＰＣＳ断面１０６の制御点（●）は、マウスを用いて移動させることができる。さらに、色相環グリッド編集と同様に、ＰＣＳ断面１０６上でマウスを右クリックすることで、制御点を追加・削除することができる。このような制御点操作によって、第１と第２の色域の加重平均により生成されたＰＣＳの形状を編集することができる。これらの編集結果をリセットする場合、リセットボタン１１７を押下することで、制御点は初期値（対応する○と△の重心）に戻される。
【００７０】
ユーザがＰＣＳ生成戦略として選択肢８７の中の”共通”を選択した場合のＣ−Ｌ断面図１１９の例を図６に示す。このＰＣＳ生成戦略で自動生成されるＰＣＳの断面１０６は、当該色相における第１の色域１０５と第２の色域１０７の共通部分として定義される。また、制御点（●）は、ＰＣＳ断面１０６の最大彩度点１０９の彩度を彩度グリッド数表示部９３に指定された数だけ等分した彩度上の境界に配置される。すなわち、第１と第２の色域の共通部分がＰＣＳとして生成される。このＰＣＳに対しても、”平均”の場合と同様の形状編集が可能である。
【００７１】
ユーザがＰＣＳ生成戦略として選択肢８７中の“包含”した場合のＣ−Ｌ断面図１１９の例を図７に示す。このＰＣＳ生成戦略で自動生成されるＰＣＳの断面１０６は、当該色相での第１の色域１０５の制御点（○）と第２の色域の制御点（△）をともに含むＣ*方向に凸な（ＰＣＳ断面１０６の境界をＬ*の関数と見たときにＣ*が極小値を持たない）最小の多角形として定義される。この場合、ＰＣＳ断面１０６の境界の頂点を構成する色域断面の制御点をＰＣＳ断面の制御点とする。すなわち、第１と第２の色域を包含する最小の色域がＰＣＳとして生成される。このＰＣＳに対しても形状編集が可能である。
【００７２】
図５の説明に戻る。ＰＣＳ編集ツール５０のユーザインタフェース画面の最下段に、ＰＣＳの編集結果の保存を指示する保存ボタン１１１、編集結果のキャンセルを指示するキャンセルボタン１１２、最後に保存した編集結果に復帰する復帰ボタン１１３、および、配信ボタン１１４が配置されている。配信ボタン１１４が押下された場合、作成された編集結果が保存されるとともにサーバサイト３０のプロファイルＤＢ２９に編集されたＰＣＳがアップロードされ、また、配信先として登録されているユーザに対して当該ＰＣＳの識別情報が通知される。
【００７３】
図８に、プロファイル編集ツール６０のユーザインタフェース画面の例を示す。プロファイル編集ツール６０のユーザインタフェース画面上のプロファイル名称表示部１２５には、編集対象とするプロファイルの名称が表示される。対象とするプロファイルとして、図４に示したプロファイル抽出手段６３により抽出されたプロファイル６４又はプロファイルＤＢ２９に登録されているプロファイルを選択可能である。このプロファイルの選択は、選択ボタン１２６を押下して起動されるファィルブラウザ（図示せず）を利用して行われる。
【００７４】
ＰＣＳ名称表示部１２７には、設定されたＰＣＳの名称が表示される。そのデフォルト値としては、図４の受信手段６１で受信したＰＣＳ識別情報に従ってＰＣＳ取得手段６２によりプロファイルＤＢ２９よりダウンロードされたＰＣＳの名称が表示される。設定するＰＣＳを変更したい場合、選択ボタン１２８を押下して起動されるファイルプラウザを利用し、プロファイルＤＢ２９に登録されているＰＣＳの中から設定したいＰＣＳを選択することができる。この場合、ファイルブラウザがＰＣＳ取得手段６２として利用されるわけである。
【００７５】
ＧＭＡ表示部１２９には、選択ボタン１３０を押下して表示される選択肢１３１中のいずれかのＧＭＡ名称が表示される。そのデフォルト値は“定点引き込み”である。
【００７６】
ユーザインタフェース画面上のａ−ｂ平面図１１８には、編集対象の入力プロファイルの色域境界と設定されたＰＣＳの境界とが表示され、また、ＰＣＳ編集ツール５０で編集されたグリッドが表示される。破線で示されている入力プロファイルの色域境界１３６とグリッドとの交点（○印）が入力制御点である。入力制御点（○）に対応づけられるＰＣＳ境界１３５上の●印が出力制御点である。色相補正は、この出力制御点を調整することで行なわれる。例えば、入力制御点１３３に対応する出力制御点初期値は、同じ色相上の点（図８では黒ベタ△印の位置）だが、これをマウス用いて出力制御点１３４の位置にドラッグすることで、入力色相角３１５°の位置の制御点が色相角３０５°の色相のＰＣＳ境界に対応づけられる。このときの修正された色相角の情報は、制御点をドラッグしている間、インジケータ１３２に表示される。また、修正された対応する制御点は線分で連結表示される。
【００７７】
一方、ユーザインタフェース画面上のＣ−Ｌ断面図１１９には、編集色相指示マーカ１０１で指示した入力プロファイルの色域断面１３９と、これに対応づけた出力制御点１３４でのＰＣＳ断面１４０が表示される。このときの入力プロファイルの色域断面１３９の色相角は色相角表示部１３７に、ＰＣＳ断面１４０の色相角は色相角表示部１３８にそれぞれ表示される。
【００７８】
入力プロファイル色域断面１３９の境界上の入力制御点（○）の初期配置は、色域の頂点１４１の彩度を彩度グリッド数表示部１４７で指示したグリッド数で分割した位置となる。グリッド数はＰＣＳ編集の場合と同様に選択ボタン１４８で変更可能となっている。また、これに対応づけられるＰＣＳ断面１４０の境界上の出力制御点（●）の初期値は、ＧＭＡ表示部１２９に表示されたＧＭＡ名称によって異なる。
【００７９】
ＧＭＡ名称として“定点引き込み”が選択されている場合、Ｌ*軸上の定点１４９と入力制御点（○）とを結ぶ線分と、ＰＣＳ断面１４０の境界との交点が出力制御点（●）の初期値となる。この出力制御点（●）は、ＰＣＳ断面上であれば、マウスで移動させることにより調整可能である。図８の例では、頂点１４１に対応する出力制御点の初期位置１４２を出力制御点１４３に移動している。また、定点１４９もドラッグによる調整が可能であり、ドラッグ中はインジケータ１４４により明度が表示されるようになっている。
【００８０】
ＧＭＡ名称の他の選択肢として、”色差最小”、”明度優先”、”彩度優先”がある。
”色差最小”が選択されている場合は、入力制御点に最も近いＰＣＳ断面１４０上の点が出力制御点の初期位置となる。“明度優先”が選択されている場合は、入力制御点（○）と等明度のＰＣＳ断面１４０の境界点（対応づけ可能な境界点が無い場合はＬ*軸上の点）が対応づけられる。“彩度優先”が選択されている場合は、入力制御点（○）と等彩度のＰＣＳ断面１４０の境界点で入力制御点（○）側に近い点（対応づけ可能な境界点が無い場合は出力制御点１４３）が対応づけられる。
【００８１】
入力制御点と出力制御点に対する操作によって、入力プロファイル色域を設定されたＰＣＳの範囲内に制限する色域圧縮を編集することができる。各入力制御点には、それに対応する出力制御点の方向が規定される。これらの入力制御点と出力制御点への方向ベクトルが、図４のＧＭＡパラメータ編集手段６８からＧＭＡパラメータ６９としてＧＭＡ６６へ渡され、ＧＭＡ６６において入力プロファイルの修正がなされる。
【００８２】
まず、ＰＣＳ領域外にある入力プロファイル色域の一般の点Ｐに対する色相補正量は、Ｐを挟む入力制御点の色相補正量を補間（最も簡便には線形補間）で決定する。明度・彩度補正量に関しても、引き込み方向を線形補間することで引き込み方向が決定される。具体的には、”定点引き込み”の場合であれば、図９に示す様に、点Ｐを挟む入力制御点のＣ−Ｌ座標をＰ１，Ｐ２として、そこでの引き込み方向を示すＣ−Ｌ面内単位方向ベクトルを、それぞれｕ，ｖ、線分Ｐ１Ｐ２と、定点１４４とＰを結ぶ直線との交点をＰ’とするとき、ｔを、Ｐ’＝（１−ｔ）Ｐ１＋ｔＰ２となるパラメータとしてｕ’＝（１−ｔ）ｕ＋ｔｖとなるｕ’をＰに対する引き込み方向とし、Ｐを通ってｕ’方向に向かう直線とＰＣＳ境界１４０との交点Ｐ”がＰの対応点となる。その他のＧＭＡ名称が選択された場合への拡張方法は自明であるので、これ以上の説明は省略する。
【００８３】
このようにして、入力プロファイル色域をＰＣＳの範囲内に圧縮する色域圧縮方法が確定すれば、入力プロファイルに含まれるデバイス色→ＰＣＳ変換の色変換パラメータ、ＰＣＳ→デバイス色変換の色変換パラメータ、色域情報を、設定されたＰＣＳに対応するものに容易に修正することができる。この場合、修正された色域情報は、もとの入力プロファイル色域を設定されたＰＣＳとの共通部分に制限したものとなる。
【００８４】
以上に説明した実施形態には、次に列挙するようなカラーマネジメント・システムが包含されている。
【００８５】
＜Ａ＞  デバイス依存のカラー値で記述された入力画像データに対し、前記デバイス依存のカラー値をデバイス非依存のカラー値として解釈するための、前記入力画像データに関連づけられた入力側色変換パラメータと、前記デバイス非依存のカラー値を出力デバイスに依存したカラー値に対応づける出力側色変換パラメータとに基づいて、前記デバイス非依存のカラー値のなす色空間の部分領域（以下、ＰＣＳと記す）を仲介して、前記出力デバイスに応じた色変換処理を行う色変換処理手段を備えるカラーマネジメント・システムであって、
ユーザが、選択可能な複数の出力デバイスの中から複数の出力デバイスを選択するための出力デバイス選択手段と、
前記出力デバイス選択手段によってユーザが選択した複数の出力デバイスそれぞれの前記色空間における色再現可能範囲（以下、色域と記す）に基づいて、所定のＰＣＳ生成方法により前記ＰＣＳを自動生成するＰＣＳ生成手段とを備えることを特徴とするカラーマネジメント・システム。
【００８６】
このような構成によれば、ユーザが出力ターゲットとする複数の出力デバイスを選択するだけで、それらの出力デバイスの色域に基づいた適切なＰＣＳを設定可能となる。なお、上記色変換処理手段は、前記実施形態における色変換手段１６に対応する。また、前記実施形態において、上記出力デバイス選択手段と上記ＰＣＳ生成手段はそれぞれプロファイル編集ツール５０に含まれる。
【００８７】
＜Ｂ＞  前記カラーマネジメント・システム（Ａ）において、前記ＰＣＳ生成手段により自動生成される前記ＰＣＳは、前記出力デバイス選択手段によってユーザが選択した前記複数の出力デバイスそれぞれの色域の共通部分より広いことを特徴とするカラーマネジメント・システム。
【００８８】
このような構成によれば、ユーザによって選択された出力デバイス中に色域の小さな出力デバイスが含まれている場合においても、ＰＣＳの矮小化を回避できる。前記実施形態において、ＰＣＳ生成戦略として”平均”又は”包含”が選ばれた場合に、生成されるＰＣＳはユーザに選択された出力デバイスそれぞれの色域の共通部分より広くなり、上記カラーマネジメント・システムＢの構成が充足される。
【００８９】
＜Ｃ＞  前記カラーマネジメント・システム（Ｂ）において、前記ＰＣＳ生成手段により自動生成される前記ＰＣＳの境界を特徴付ける制御点は、前記出力デバイス選択手段によってユーザが選択した前記複数の出力デバイスそれぞれの色域の境界を特徴付ける制御点の加重平均で得られることを特徴とするカラーマネジメント・システム。
【００９０】
このような構成は、前記実施形態においてＰＣＳ生成戦略として”平均”を選択した場合に相当する。この構成によって、選択された複数の出力デバイスの中の優先すべき出力デバイスの色域をＰＣＳの生成において優先させることができる。
【００９１】
＜Ｄ＞  前記カラーマネジメント・システム（Ｃ）において、前記ＰＣＳ生成手段は前記加重平均の重み係数をユーザが編集するための手段を含むことを特徴とするカラーマネジメント・システム。
【００９２】
このような構成によれば、選択された複数の出力デバイスの中の優先すべき出力デバイスの色域をＰＣＳの生成において優先させ、かつ、その優先度合をユーザが調整することができる。前記実施形態においては、上記重み係数を編集するための手段はＰＣＳ編集ツール５０に含まれている。
【００９３】
＜Ｅ＞  前記カラーマネジメント・システム（Ａ，Ｂ，Ｃ，Ｄ）のいずれかにおいて、前記ＰＣＳ生成手段は自動生成したＰＣＳの形状をユーザが編集するための手段を含むことを特徴とするカラーマネジメント・システム。
【００９４】
このような構成によれば、ユーザはＰＣＳの形状の微調整を容易に行うことができる。前記実施形態においては、上記ＰＣＳ形状編集のための手段はＰＣＳ編集ツール５０に含まれている。
【００９５】
＜Ｆ＞  前記カラーマネジメント・システム（Ａ，Ｂ，Ｃ，Ｄ，Ｅ）のいずれかであって、前記入力画像データに関連づけられた入力側色変換パラメータを、前記入力画像データの前記色空間における色再現範囲（以下、色域と記す）が前記ＰＣＳの範囲に制限されるように修正する色変換パラメータ修正手段をさらに備えることを特徴とするカラーマネジメント・システム。
【００９６】
このような構成によれば、協業するワークグループメンバが編集する画像データの色域を共有すべきＰＣＳの範囲内に制限することが可能となる。前記実施形態において、上記色変換パラメータ修正手段はプロファイル編集ツール６０に含まれている。
【００９７】
＜Ｇ＞  前記カラーマネジメント・システム（Ｆ）であって、前記入力画像データの色域を前記ＰＣＳの範囲に制限する色域圧縮をユーザが編集するための色域圧縮編集手段を備え、該色域写像編集手段によって編集された色域写像の制御パラメータに基づいて、前記色変換パラメータ修正手段は前記入力側色変換パラメータを修正することを特徴とするカラーマネジメント・システム。
【００９８】
このような構成によれば、協業するワークグループメンバが編集する画像データの色域を、共有すべきＰＣＳの範囲内に制限する方法を容易に最適化することができる。前記実施形態において、上記色域圧縮編集手段は前記プロファイル編集ツール６０の含まれている。
【００９９】
＜Ｈ＞  デバイス依存のカラー値で記述された入力画像データに対し、前記デバイス依存のカラー値をデバイス非依存のカラー値として解釈するための、前記入力画像データに関連づけられた入力側色変換パラメータと、前記デバイス非依存のカラー値を出力デバイスに依存したカラー値に対応づける出力側色変換パラメータとに基づいて、前記デバイス非依存のカラー値のなす色空間の部分領域（以下、ＰＣＳと記す）を仲介して、前記出力デバイスに応じた色変換処理を行う色変換処理手段を備えるカラーマネジメント・システムであって、
ユーザが、選択可能な複数の出力デバイスの中から複数の出力デバイスを選択するための出力デバイス選択手段と、
前記出力デバイス選択手段によってユーザが選択した複数の出力デバイスそれぞれの前記色空間における色再現可能範囲（以下、色域と記す）に基づいて、所定のＰＣＳ生成方法により前記ＰＣＳを自動生成するＰＣＳ生成手段と、
前記出力側色変換パラメータ及び前記ＰＣＳを保持する、ネットワークに接続されたサーバとを備え、
前記サーバに保持された前記出力側色変換パラメータ及び前記ＰＣＳを複数のユーザでネットワークを介して共有することを特徴とするカラーマネジメント・システム。
【０１００】
このような構成よれば、色変換処理のＰＣＳを予め固定的に用意されたものにのみ限定せず、ユーザが出力ターゲットとする出力デバイスを選択する都度、その出力デバイスの組み合わせに応じたＰＣＳを生成し、このＰＣＳをネットワークを介して協業するワークグループメンバ間で容易に共有することができる。なお、上記色変換処理手段は前記実施形態における色変換手段１６に対応し、また、前記実施形態において上記出力デバイス選択手段と上記ＰＣＳ生成手段はそれぞれプロファイル編集ツール５０に含まれている。
【０１０１】
＜Ｉ＞  前記カラーマネジメント・システム（Ｈ）であって、ネットワークに接続されたアプリケーション・サーバをさらに備え、前記出力デバイス選択手段及び前記ＰＣＳ生成手段はネットワークに接続されたユーザＰＣに対して前記アプリケーション・サーバより提供されることを特徴とするカラーマネジメント・システム。
【０１０２】
このような構成によれば、ワークグループのメンバ間でのＰＣＳ生成手段のバージョン不整合や、それに起因したＰＣＳの不一致等を容易に回避できる。
【０１０３】
＜Ｊ＞  前記カラーマネジメント・システム（Ｈ）であって、前記入力画像データに関連づけられた入力側色変換パラメータを、前記入力画像データの前記色空間における色再現範囲（以下、色域と記す）が前記ＰＣＳの範囲に制限されるように修正する色変換パラメータ修正手段と、ネットワークに接続されたアプリケーション・サーバとをさらに備え、前記出力デバイス選択手段、前記ＰＣＳ生成手段及び前記色変換パラメータ修正手段はネットワークに接続されたユーザＰＣに対して前記アプリケーション・サーバより提供され、前記ＰＣＳ生成手段は生成したＰＣＳを複数のユーザに通知する手段を含み、前記ＰＣＳ生成手段により通知されたＰＣＳが前記色変換パラメータ修正手段にデフォルト設定されることを特徴とするカラーマネジメント・システム。
【０１０４】
このような構成によれば、ワークグループのメンバそれぞれのＰＣＳ設定作業が自動化されるためＰＣＳ誤設定が起きにくくなる。ワークグループメンバが編集する画像データの色域を共有すべきＰＣＳの範囲内に制限することが可能となる。ワークグループのメンバ間でのＰＣＳ生成手段のバージョン不整合や、それに起因したＰＣＳの不一致等を容易に回避できる。前記実施形態において、上記色変換パラメータ修正手段はプロファイル編集ツール６０に含まれており、上記ＰＣＳを複数のユーザに通知する手段はＰＣＳ編集ツール５０に含まれている。
【０１０５】
なお、本発明は、以上に説明した態様のみに限定されるものではなく、様々な変形もしくは修正した態様も本発明に包含される。また、前記実施形態におけるＰＣＳ編集ツールやプロファイル編集ツールに相当するコンピュータ・プログラムも当然に本発明に包含される。
【符号の説明】
【０１０６】
１  原稿画像データ
２  ＲＩＰ
１１  画像出力デバイス
１２  出力画像
１３  用紙プロファイルＤＢ
１４  用紙プロファイル
１６  色変換手段
１７  出力サイト
１８，２２  ＰＣ
１９  ＲＧＢ画像データ
２０  ＲＧＢプロファイル
２１  コンテンツ制作サイト
２３  ＣＭＹＫプロファイル
２４  ＣＭＹＫ画像データ
２５  編集サイト
２６  インターネット
２７  アプリケーション・サーバ
２８  リソースＤＢ
２９  プロファイルＤＢ
３０  サーバサイト
５０  ＰＣＳ編集ツール
５１  プロファイル選択手段
５３  ＰＣＳ編集処理手段
５４  配信手段
６０  プロファイル編集ツール
【先行技術文献】
【特許文献】
【０１０７】
【特許文献１】特許第３５１３３３４号
【図１】
0005887980.tif 000002
【図２】
0005887980.tif 000003
【図３】
0005887980.tif 000004
【図４】
0005887980.tif 000005
【図５】
0005887980.tif 000006
【図６】
0005887980.tif 000007
【図７】
0005887980.tif 000008
【図８】
0005887980.tif 000009
【図９】
0005887980.tif 000010